(57)【要約】【課題】耐久性を向上する技術を提供する。【解決手段】蓋部２２では、蓋板３０の両端部分のそれぞれに側面板３２が設けられる。第１支持部２４、第２支持部２６は、蓋部２２とは別に構成され、蓋部２２の各側面板３２を支持する。各側面板３２に備えられる第１リブ部３４は、蓋板３０の両端部分を結ぶ方向において、蓋板３０の外側に向かって、円弧状に立設される。第２リブ部３６は、第１リブ部３４と同じ方向に向かって、円弧状に立設されるとともに、第１リブ部３４の回転中心とは異なった回転中心を有する。第１支持部２４、第２支持部２６は、第１リブ部３４を摺動可能な第１溝部と、第２リブ部３６を摺動可能な第２溝部とを備える。【選択図】図２
2018073847.tif 000002
【特許請求の範囲】
【請求項１】
蓋板の両端部分のそれぞれに側面板が設けられた蓋部と、
前記蓋部とは別に構成され、前記蓋部の各側面板を支持する支持部とを備え、
前記各側面板は、
前記蓋板の両端部分を結ぶ方向において、前記蓋板の外側に向かって、円弧状に立設された第１リブ部と、
前記第１リブ部と同じ方向に向かって、円弧状に立設されるとともに、前記第１リブ部の回転中心とは異なった回転中心を有する第２リブ部とを備え、
前記支持部は、
前記第１リブ部を摺動可能な第１溝部と、
前記第２リブ部を摺動可能な第２溝部とを備えることを特徴とする蓋開閉装置。
【請求項２】
前記第１リブ部と前記第２リブ部は、前記蓋板の両端部分を結ぶ方向において、異なった位置に配置されることを特徴とする請求項１に記載の蓋開閉装置。
【請求項３】
前記支持部は、
前記第１溝部の内周壁と、前記第２溝部の内周壁とが形成された第１支持部と、
前記第１溝部の外周壁と、前記第２溝部の外周壁とが形成された第２支持部とを備えることを特徴とする請求項１または２に記載の蓋開閉装置。
【請求項４】
蓋板と、
前記蓋板の両端部分のそれぞれに設けられた側面板とを備え、
前記側面板は、
前記蓋板の両端部分を結ぶ方向において、前記蓋板の外側に向かって、円弧状に立設された第１リブ部と、
前記第１リブ部と同じ方向に向かって、円弧状に立設されるとともに、前記第１リブ部の回転中心とは異なった回転中心を有する第２リブ部とを備えることを特徴とする蓋。
【請求項５】
請求項１から３のいずれかに記載の蓋開閉装置と、
前記蓋開閉装置における前記蓋部が開いた場合に、外部と接続が可能になる接続部と、
を備えることを特徴とする電子機器。
【発明の詳細な説明】
【技術分野】
【０００１】
本発明は、蓋開閉構造に関し、特に蓋を回転させながら開閉させる蓋開閉装置、蓋、電子機器に関する。
【背景技術】
【０００２】
電子機器等において回転式扉の開閉機構が備えられている。回転式扉の開閉機構では、扉の側面に設けた回転軸によって、扉と本体とが軸合されている。また、この回転軸を中心として、取っ手の操作によって扉が回転する（例えば、特許文献１参照）。
【先行技術文献】
【特許文献】
【０００３】
【特許文献１】特開平９−４６０６１号公報
【発明の概要】
【発明が解決しようとする課題】
【０００４】
回転軸は、通常、突起形状に設けられている。そのため、これは、耐衝撃性に弱く、破損しやすい。
【０００５】
本発明はこうした状況に鑑みてなされたものであり、その目的は、耐久性を向上する技術を提供することにある。
【課題を解決するための手段】
【０００６】
上記課題を解決するために、本発明のある態様の蓋開閉装置は、蓋板の両端部分のそれぞれに側面板が設けられた蓋部と、蓋部とは別に構成され、蓋部の各側面板を支持する支持部とを備える。各側面板は、蓋板の両端部分を結ぶ方向において、蓋板の外側に向かって、円弧状に立設された第１リブ部と、第１リブ部と同じ方向に向かって、円弧状に立設されるとともに、第１リブ部の回転中心とは異なった回転中心を有する第２リブ部とを備える。支持部は、第１リブ部を摺動可能な第１溝部と、第２リブ部を摺動可能な第２溝部とを備える。
【０００７】
本発明の別の態様は、蓋である。この蓋は、蓋板と、蓋板の両端部分のそれぞれに設けられた側面板とを備える。側面板は、蓋板の両端部分を結ぶ方向において、蓋板の外側に向かって、円弧状に立設された第１リブ部と、第１リブ部と同じ方向に向かって、円弧状に立設されるとともに、第１リブ部の回転中心とは異なった回転中心を有する第２リブ部とを備える。
【発明の効果】
【０００８】
本発明によれば、耐久性を向上できる。
【図面の簡単な説明】
【０００９】
【図１】本発明の実施例に係る電子機器が搭載される車室内を後方から見た外観図である。
【図２】図１の蓋開閉装置の構成を示す表面側からの分解斜視図である。
【図３】図１の蓋開閉装置の構成を示す裏面側からの分解斜視図である。
【図４】図１の蓋部の構成を示す正面図である。
【図５】図５（ａ）−（ｉ）は、図１の蓋開閉装置の開閉動作を示す断面図である。
【図６】図６（ａ）−（ｂ）は、図１の蓋開閉装置における蓋板の回転中心を示す断面図である。
【図７】図１の電子機器の構成を示す図である。
【発明を実施するための形態】
【００１０】
本発明の実施例を具体的に説明する前に、基礎となった知見を説明する。本発明の実施例は、車両に搭載された電子機器、例えば、カーオーディオ装置に関する。電子機器には、ＵＳＢ（Ｕｎｉｖｅｒｓａｌ  Ｓｅｒｉａｌ  Ｂｕｓ）のインターフェイス、例えばコネクタが備えられており、ＵＳＢプラグを挿入可能である。その結果、ＵＳＢを介して、電子機器は、外部の機器と接続される。ＵＳＢプラグが挿入されていない場合、ＵＳＢコネクタが露出すると、電子機器の意匠性が低下するとともに、ＵＳＢコネクタへのホコリ等の侵入による故障の発生可能性が増加する。
【００１１】
これに対応するために、電子機器には、蓋開閉装置が備えられ、蓋部を開けた場合にＵＳＢコネクタが露出し、蓋部を閉めた場合にＵＳＢコネクタが隠れる。前述のごとく、蓋部を開閉するために、蓋部に突起状の回転軸が設けられる場合、当該回転軸は、耐衝撃性に弱いので、破損しやすい。そのため、蓋開閉装置の耐衝撃性を強化し、破損しにくくすることによって、蓋開閉装置の耐久性を向上させることが望まれる。そこで、本実施例に係る電子機器、特に電子機器に備えられた蓋開閉装置は以下のように構成される。
【００１２】
図１は、本発明の実施例に係る電子機器１０が搭載される車室内を後方から見た外観図である。ここで、図１に示すように、ｘ軸、ｙ軸、ｚ軸からなる直角座標系が規定される。ｘ軸は、車両の前後方向に延び、ｙ軸は、車両の左右方向に延び、ｚ軸は、車両の上下方向に延びる。また、ｘ軸、ｙ軸、ｚ軸のそれぞれの正の方向は、図１における矢印の方向に規定され、負の方向は、矢印と逆向きの方向に規定される。以下では、ｘ軸の正方向側を「表面側」ということもあり、ｘ軸の負方向側を「裏面側」ということもある。また、ｚ軸の正方向側を「上面側」といい、ｚ軸の負方向側を「下面側」ということもある。
【００１３】
車室内の前方において、ｙ軸の正方向側に運転席６が配置され、ｙ軸の負方向側に助手席８が配置される。また、運転席６よりもｘ軸の負方向側にハンドル４が配置される。なお、ハンドル４および運転席６は、ｙ軸の負方向側に配置されてもよい。さらに、ハンドル４よりもｘ軸の負方向側にフロントガラス２が配置される。
【００１４】
また、ハンドル４よりもｙ軸の負方向側のセンターコンソールには、電子機器１０が、モニタ１４を車室、つまりｘ軸の正方向に向けながら嵌め込まれる。電子機器１０には、蓋開閉装置２０も備えられる。蓋開閉装置２０は、蓋部２２、第１支持部２４を含む。蓋開閉装置２０の構成については、後述する。電子機器１０は、図示しないケーブルを介してスピーカ１２を接続する。スピーカ１２は、左右のドアの内部に配置される。
【００１５】
図２は、蓋開閉装置２０の構成を示す表面側からの分解斜視図である。また、図３は、蓋開閉装置２０の構成を示す裏面側からの分解斜視図である。蓋開閉装置２０は、蓋部２２、第１支持部２４、第２支持部２６を含む。蓋部２２は、蓋板３０、側面板３２、第１リブ部３４、第２リブ部３６を含む。第１支持部２４は、第１内周壁４２、第２内周壁４４、枠部５８、孔部６０を含む。第２支持部２６は、第１外周壁４６、第２外周壁４８、基部６２、孔部６４を含む。
【００１６】
蓋板３０は、ｙ軸方向に長い矩形状を有した板である。蓋板３０のｙ軸方向の両端部分のそれぞれには、側面板３２が設けられる。１組の側面板３２は、蓋板３０の一面側から同一方向に向けて立設される。
【００１７】
各側面板３２において、蓋板３０の両端部分を結ぶｙ軸の方向において、蓋部２２の外側に向かって第１リブ部３４が立設される。外側とは、ｙ軸方向の負方向側に配置された側面板３２に対して、ｙ軸方向の負方向側を示し、ｙ軸方向の正方向側に配置された側面板３２に対して、ｙ軸方向の正方向側を示す。第１リブ部３４は、ｚ−ｘ平面において、一部分が円弧状の形状を有する。一部分は、第１内周面５０と第１外周面５２であるが、これらは完全に相対しておらず、円周の方向においてずれた位置関係を有する。
【００１８】
また、側面板３２において、第１リブ部３４と同じ方向に向かって、第２リブ部３６が立設される。第２リブ部３６は、第１リブ部３４の最も外側に配置された外側面６６を基点としてさらに外側を向く。このように、第２リブ部３６と第１リブ部３４は、ｙ軸の方向において、異なった位置に配置される。第２リブ部３６は、ｚ−ｘ平面において、円弧状の形状を有する。ここで、円弧状は、第２内周面５４と第２外周面５６とによって形成されるが、これらは相対する。第２リブ部３６の円弧による回転中心は、第１リブ部３４の円弧による回転中心とは異なった位置に配置される。これらの回転中心については後述する。
【００１９】
図４は、蓋部２２の構成を示す正面図である。図４は、図２、図３に示された蓋部２２をｚ軸の正方向側、つまり上面側から見た図である。前述のごとく、ｙ軸方向に延びた蓋板３０が配置され、それのｙ軸方向の両端部分のそれぞれに第１リブ部３４が配置される。さらに、ｙ軸の負方向側の第１リブ部３４に対して、ｙ軸の負方向側に第２リブ部３６が配置されるとともに、ｙ軸の正方向側の第１リブ部３４に対しても、ｙ軸の正方向側に第２リブ部３６が配置される。なお、図２から図４における蓋部２２は、蓋開閉装置２０において開かれた状態である。蓋開閉装置２０において、蓋部２２が閉じた状態である場合、図４は、蓋部２２をｘ軸の正方向側、つまり表面側から見た図に相当する。図２、図３に戻る。
【００２０】
第１支持部２４は、蓋部２２よりもｘ軸の正方向側に配置され、第２支持部２６は、蓋部２２よりもｘ軸の負方向側に配置される。そのため、第１支持部２４と第２支持部２６とによって、蓋部２２が挟まれる。詳細は後述するが、第１支持部２４と第２支持部２６は、蓋部２２とは別に構成され、蓋部２２の各側面板３２に設けられた第１リブ部３４、第２リブ部３６を支持する。
【００２１】
第１支持部２４の枠部５８は、ｙ−ｚ平面において、ｙ軸方向に長い額縁状の形状を有しており、中央部分に孔部６０が配置される。孔部６０は、蓋板３０よりも大きくなるように形成されており、孔部６０内において蓋部２２が開閉される。枠部５８において、ｙ軸方向の両端部分のそれぞれには、第１内周壁４２がｘ軸の負方向を向いて立設される。また、各第１内周壁４２に並んで第２内周壁４４が立設される。これを詳細に説明すると、ｙ軸の負方向側に配置された第１内周壁４２に対して、ｙ軸の負方向側に第２内周壁４４が配置されるとともに、ｙ軸の正方向側に配置された第１内周壁４２に対しても、ｙ軸の正方向側に第２内周壁４４が配置される。第１内周壁４２は、蓋部２２の第１リブ部３４に対向しており、第１リブ部３４の第１内周面５０のカーブに合わせたカーブの形状を有する。第２内周壁４４は、蓋部２２の第２リブ部３６に対向しており、第２リブ部３６の第２内周面５４のカーブの形状に合わせたカーブの形状を有する。
【００２２】
第２支持部２６の基部６２は、ｙ−ｚ平面において、ｙ軸方向に長い矩形状を有しており、中央部分に孔部６４が配置される。孔部６４の内部には、図示しないＵＳＢコネクタが配置される。基部６２において、ｙ軸方向の両端部分のそれぞれには、第１外周壁４６がｘ軸の正方向を向いて立設される。また、各第１外周壁４６に並んで第２外周壁４８が立設される。これを詳細に説明すると、ｙ軸の負方向側に配置された第１外周壁４６に対して、ｙ軸の負方向側に第２外周壁４８が配置されるとともに、ｙ軸の正方向側に配置された第１外周壁４６に対しても、ｙ軸の正方向側に第２外周壁４８が配置される。第１外周壁４６は、蓋部２２の第１リブ部３４に対向しており、第１リブ部３４の第１外周面５２のカーブに合わせたカーブの形状を有する。第２外周壁４８は、蓋部２２の第２リブ部３６に対向しており、第２リブ部３６の第２外周面５６のカーブに合わせたカーブの形状を有する。
【００２３】
図５（ａ）−（ｉ）は、蓋開閉装置２０の開閉動作を示す図である。図５（ａ）−（ｃ）は、蓋開閉装置２０を表面側から見た正面図であり、図５（ｄ）−（ｆ）は、図４のＡ−Ａ’方向の断面図であり、図５（ｇ）−（ｉ）は、図４のＢ−Ｂ’方向の断面図である。また、図５（ａ）、図５（ｄ）、図５（ｇ）は、蓋板３０が閉じた状態（以下、「閉状態」という）を示し、図５（ｃ）、図５（ｆ）、図５（ｉ）は、蓋板３０が開いた状態（以下、「開状態」という）を示す。さらに、図５（ｂ）、図５（ｅ）、図５（ｈ）は、閉状態と開状態との間の状態であり、かつ第１リブ部３４の回転中心と第２リブ部３６の回転中心とが切りかわる状態（以下、「切替状態」という）を示す。
【００２４】
まず、閉状態を説明する。図５（ａ）のように、枠部５８に形成された孔部６０は、蓋板３０によって塞がれている。図５（ｄ）において、第１内周壁４２と第１外周壁４６とに挟まれて、第１溝部３８が形成される。第１溝部３８は、第１リブ部３４を摺動可能である。閉状態において、第１リブ部３４の第１内周面５０の一部と、第１内周壁４２の一部とが対向し、第１リブ部３４の第１外周面５２と、第１外周壁４６の一部とが対向する。図５（ｇ）において、第２内周壁４４と第２外周壁４８に挟まれて、第２溝部４０が形成される。第２溝部４０は、第２リブ部３６を摺動可能である。閉状態において、第２リブ部３６は、第２溝部４０に嵌入されておらず、第２溝部４０から脱離している。
【００２５】
図６（ａ）−（ｂ）は、蓋開閉装置２０における蓋板３０の回転中心を示す断面図である。ここでは、図６（ａ）を説明に使用する。図６（ａ）では、回転中心を明瞭にするために、蓋板３０と枠部５８とを示す。図６（ａ）において「Ｃ」と示された蓋板３０が、前述の閉状態に相当する。
【００２６】
次に、切替状態を説明する。図５（ｂ）のように、枠部５８に形成された孔部６０は、蓋板３０によってほぼ塞がれている。図５（ｅ）において、第１リブ部３４は、図５（ｄ）よりもｚ軸の負方向に第１溝部３８を摺動する。具体的には、第１リブ部３４の第１内周面５０のポイント「Ｐ１」が第１内周壁４２に近づく位置まで、第１リブ部３４が第１内周壁４２に沿って移動する。また、第１リブ部３４の第１外周面５２は、第１外周壁４６に沿って移動する。図５（ｈ）において、第２外周面５６の一部、つまり第２外周面５６の下端部分からポイント「Ｐ２」までの部分が第２溝部４０に観入される。その際、第２リブ部３６の第２内周面５４の一部と、第２内周壁４４の一部とが対向し、第２リブ部３６の第２外周面５６の一部と、第２外周壁４８の一部とが対向する。
【００２７】
図６（ａ）において「Ｓ」と示された蓋板３０が、前述の切替状態に相当する。閉状態から切替状態に遷移する回転は、「Ｃ」から「Ｓ」に遷移する回転に相当し、その回転中心は「Ｒ１」と示され、回転の軌跡は「Ｃ１」と示される。この回転は、第１リブ部３４と第１溝部３８とによってなされており、第２リブ部３６と第２溝部４０とによってなされていない。そのため、第１リブ部３４および第１溝部３８の回転中心が「Ｒ１」に相当する。
【００２８】
最後に、開状態を説明する。図５（ｃ）のように、枠部５８に形成された孔部６０から、基部６２、孔部６４が露出される。そのため、孔部６４内に設けられたＵＳＢコネクタ（図示せず）も露出される。図５（ｆ）において、第１リブ部３４の第１内周面５０は、第１内周壁４２に沿って移動するが、第１リブ部３４の第１外周面５２は、第１外周壁４６から離れて移動する。図５（ｉ）において、第２リブ部３６は、図５（ｈ）よりもｚ軸の負方向に第２溝部４０を摺動する。具体的には、第２リブ部３６の第２内周面５４は、第２内周壁４４に沿って移動し、第２リブ部３６の第２外周面５６は、第２外周壁４８に沿って移動する。
【００２９】
図６（ａ）において「Ｏ」と示された蓋板３０が、前述の開状態に相当する。切替状態から開状態に遷移する回転は、「Ｓ」から「Ｏ」に遷移する回転に相当し、その回転中心は「Ｒ２」と示され、回転の軌跡は「Ｃ２」と示される。この回転は、第２リブ部３６と第２溝部４０とによってなされており、第１リブ部３４と第１溝部３８とによってなされていない。そのため、第２リブ部３６および第２溝部４０の回転中心が「Ｒ２」に相当する。
【００３０】
このように蓋開閉装置２０は、２つの回転中心を切りかえながら、蓋部２２を開閉させる。ここでは、２つの回転中心を切りかえることによる効果を、比較対象を使用しながら説明する。図６（ｂ）は、蓋開閉装置２０の比較対象における蓋板２３０の回転中心を示す断面図である。蓋板２３０は蓋板３０に対応し、枠部２５８は枠部５８に対応し、孔部２６０は孔部６０に対応する。図６（ｂ）において「Ｃ」と示された蓋板２３０が、閉状態に相当する。「Ｃ」における枠部２５８と蓋板２３０との位置関係は、図６（ａ）の「Ｃ」における枠部５８と蓋板３０との位置関係と同一である。また、比較対象においては、回転中心「Ｒ２」のみが配置される。
【００３１】
回転中心「Ｒ２」による回転の軌跡は「Ｃ２」と示される。図示のごとく、ポイント「Ｐ３」において、蓋板２３０と枠部２５８とが接触する。そのため、図６（ｂ）の構成では、蓋板２３０を開閉できない。図６（ｂ）において、蓋板２３０を開閉可能にするためには、ポイント「Ｐ３」における接触を回避するために、ｚ軸の正方向側の枠部２５８をさらにｚ軸の正方向側に配置させる必要がある。そのため、孔部２６０がｚ方向に広がる。これにより、閉状態においても、蓋板２３０によって塞がれない孔部２６０の部分が大きくなり、意匠性が低下する。つまり、２つの回転中心を切りかえながら、蓋部２２を開閉させることによって、意匠性が向上する。
【００３２】
図７は、電子機器１０の構成を示す。電子機器１０は、処理部１００、モニタ１４、スピーカ１２、操作部１０２、接続部１０４を含む。また、電子機器１０は、図１にも示したように蓋開閉装置２０を含む。
【００３３】
処理部１００は、所定の処理を実行する。前述のごとく、電子機器１０がカーオーディオ装置である場合、所定の処理は、音声再生、情報生成等に相当する。スピーカ１２、モニタ１４は、図１に示すように配置される。スピーカ１２は、処理部１００において再生された音声を出力する。また、モニタ１４は、処理部１００において生成された情報を表示する。
【００３４】
操作部１０２は、ボタン等によって構成されており、ユーザによる指示を受けつける。指示の一例は、処理部１００において再生すべき音声の選択の指示である。操作部１０２は、受けつけた指示を処理部１００に出力する。なお、電子機器１０にタッチパネルが搭載される場合、モニタ１４と操作部１０２とが一体的に構成される。
【００３５】
接続部１０４は、蓋開閉装置２０に設けられた孔部６４（図示せず）の中に配置される。接続部１０４は、前述のＵＳＢコネクタに相当する。接続部１０４は、蓋開閉装置２０における蓋部２２が開いた場合に、ＵＳＢプラグを備えた外部の機器（図示せず）と接続が可能になる。接続部１０４を介して、処理部１００と外部の機器との間でデータが送受信される。
【００３６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３７】
本発明の実施例によれば、突起した回転軸ではなく、円弧状のリブと溝部によって蓋部を開閉させるので、蓋開閉装置の耐衝撃性を強化し、破損しにくくできる。また、蓋開閉装置の耐衝撃性が強化されて、破損しにくくなるので、蓋開閉装置の耐久性を向上できる。また、２つの回転中心を切りかえながら、蓋部を開閉させるので、開閉時の蓋部の軌跡の範囲を小さくできる。また、開閉時の蓋部の軌跡の範囲が小さくなるので、第１支持部に設けられた枠部と蓋板との間の隙間を小さくできる。
【００３８】
また、第１支持部に設けられた枠部と蓋板との間の隙間が小さくなるので、意匠性を向上できる。また、開閉時の蓋部の軌跡の範囲が小さくなるので、蓋開閉装置を小型化できる。また、蓋板の両端部分を結ぶ方向において、第１リブ部と第２リブ部とを異なった位置に配置させるので、２つの回転中心を切りかえる構成を簡易に実現できる。また、第１支持部と第２支持部とによって、蓋部を挟む構成であるので、組み立てを簡易にできる。
【００３９】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４０】
本発明の実施例において、側面板３２から外側に向かって第１リブ部３４が立設され、第１リブ部３４から外側に向かって第２リブ部３６が立設される。しかしながらこれに限らず例えば、側面板３２から外側に向かって第２リブ部３６が立設され、第２リブ部３６から外側に向かって第１リブ部３４が立設されてもよい。本変形例によれば、構成の自由度を向上できる。
【００４１】
本発明の実施例において、支持部は、第１支持部２４と第２支持部２６との組合せによって構成されている。しかしながらこれに限らず例えば、支持部は一体的に構成されてもよい。本変形例によれば、部品数を低減できる。
【００４２】
本発明の実施例において、電子機器１０はカーオーディオ装置として構成される。しかしながらこれに限らず例えば、電子機器１０は、カーオーディオ装置に限定されず、カーナビゲーション装置、エアコンディショナー装置等の他の車載装置として構成されてもよい。さらに、電子機器１０は、車載装置に限定されず、家庭用電子機器、事業用電子機器として構成されてもよい。その際、カーオーディオ機能のインターフェイスの機能以外の機能が実行されてもよい。本変形例によれば、適用範囲を拡大できる。
【００４３】
本発明の実施例において、接続部１０４は、ＵＳＢコネクタであるとしている。しかしながらこれに限らず例えば、接続部１０４は、ＵＳＢコネクタ以外のインターフェイスであって、かつ外部の機器を接続するためのインターフェイスであってもよい。本変形例によれば、構成の自由度を向上できる。
【符号の説明】
【００４４】
１０  電子機器、  ２０  蓋開閉装置、  ２２  蓋部、  ２４  第１支持部、  ２６  第２支持部、  ３０  蓋板、  ３２  側面板、  ３４  第１リブ部、  ３６  第２リブ部、  ３８  第１溝部、  ４０  第２溝部、  ４２  第１内周壁、  ４４  第２内周壁、  ４６  第１外周壁、  ４８  第２外周壁。
【図１】
2018073847.tif 000003
【図２】
2018073847.tif 000004
【図３】
2018073847.tif 000005
【図４】
2018073847.tif 000006
【図５】
2018073847.tif 000007
【図６】
2018073847.tif 000008
【図７】
2018073847.tif 000009